(57)【要約】  音響照明タイル１００は空洞１１０を有し、この空洞は該空洞１１０の開口部を形成する側壁１２０を有している。音響エレメント１３０は空洞１１０に入射する音を吸収する。光源担体１４０が側壁１２０に沿って配設され、空洞１１０内へと水平方向に沿って第１距離Ｄ１にわたり延びている。光源１５０が光源担体１４０上に取り付けられ、空洞１１０内へ該空洞１１０の開口部から遠ざかる垂直の主方向に光Ｌ１，Ｌ２，Ｌ３を放出する。反射面１６０は光源１５０により放出される光Ｌ１，Ｌ２，Ｌ３の少なくとも一部を上記開口部に向かって反射する。拡散エレメント１７０は、光源担体１４０から第２距離Ｄ２において上記開口部を少なくとも部分的に覆い、該開口部を通過する光を拡散させる。第２距離Ｄ２は第１距離Ｄ１と少なくとも同程度に大きい。光源担体１４０と拡散エレメント１７０との間の距離Ｄ２は、一層均一な照明の供給を容易にする混合空間を提供する。
2016540348.tif 000002
【特許請求の範囲】
【請求項１】
−  側壁を有する空洞であって、前記側壁が該空洞の開口部を形成する空洞と、
−  前記空洞に入射する音の少なくとも一部を吸収する音響エレメントと、
−  前記空洞内に前記側壁に沿って配置されると共に、前記空洞内へと水平方向に沿って第１距離にわたり延在する光源担体と、
−  前記光源担体上に取り付けられて前記空洞内へ光を放出する光源であって、前記空洞内へと前記空洞の開口部から離れる垂直の主方向に光を放出する光源と、
−  前記空洞内に配置されると共に、前記放出された光の少なくとも一部を前記開口部に向かって反射する反射面と、
−  前記光源担体から第２距離において前記開口部を少なくとも部分的に覆うと共に、前記開口部を通過する光を少なくとも部分的に拡散させる拡散エレメントと、
を有し、
前記第２距離が前記第１距離と少なくとも同程度に大きい、
音響照明タイル。
【請求項２】
前記空洞は後壁を有し、前記側壁は前記後壁と前記光源担体との間の少なくとも一部にわたり延在する第１部分及び前記光源担体と前記拡散エレメントとの間の少なくとも一部にわたり延在する第２部分を有し、前記第２部分が前記第１部分に対して傾斜されている、請求項１に記載の音響照明タイル。
【請求項３】
前記第２部分が前記第１部分に対して前記空洞の内部に向かって内側に傾斜されている、請求項２に記載の音響照明タイル。
【請求項４】
前記第２部分が前記第１部分に対して前記空洞の内部から離れるように外側に傾斜されている、請求項２に記載の音響照明タイル。
【請求項５】
前記第２部分の縁部が、前記第２部分における該縁部に隣接する部分に対して傾斜されている、請求項２ないし４の何れか一項に記載の音響照明タイル。
【請求項６】
前記側壁のリムの少なくとも一部が折り返され、前記拡散エレメントが前記リムの折返し部に当接して配置される、請求項１ないし５の何れか一項に記載の音響照明タイル。
【請求項７】
前記側壁は前記光源担体と前記拡散エレメントとの間に延在する部分を有し、前記光源担体と前記拡散エレメントとの間に延在する該部分の少なくとも一部が少なくとも部分的に透光性である、請求項１ないし６の何れか一項に記載の音響照明タイル。
【請求項８】
前記光源担体と前記拡散エレメントとの間に延在する前記部分が開口を有する、請求項７に記載の音響照明タイル。
【請求項９】
前記光源担体と前記拡散エレメントとの間に延在する前記部分の前記空洞に対して外側に配置されると共に、前記光源担体と前記拡散エレメントとの間に延在する該部分を通過する光を少なくとも部分的に拡散させる第２拡散エレメントを有する、請求項７又は請求項８に記載の音響照明タイル。
【請求項１０】
前記側壁の少なくとも一部が金属を有する、請求項１ないし９の何れか一項に記載の音響照明タイル。
【請求項１１】
前記反射面が湾曲されている、請求項１ないし１０の何れか一項に記載の音響照明タイル。
【請求項１２】
前記空洞の相対する側に配置された２つの光源担体を有する、請求項１ないし１１の何れか一項に記載の音響照明タイル。
【請求項１３】
当該音響照明タイルが長方形である、請求項１ないし１２の何れか一項に記載の音響照明タイル。
【請求項１４】
前記光源が前記側壁に沿って配置された複数の光源のストリップを有する、請求項１ないし１３の何れか一項に記載の音響照明タイル。
【請求項１５】
前記光源が固体光源を有する、請求項１ないし１４の何れか一項に記載の音響照明タイル。
【発明の詳細な説明】
【技術分野】
【０００１】
本発明は、広くは音響吸収型照明装置の分野に係り、特には発光音響タイル（音響照明タイル）に関する。
【背景技術】
【０００２】
室内の騒音レベル（sound level）は、音響タイルとも呼ばれる音響吸収タイルの使用により低減することができる。音響タイルは、典型的には、部屋の天井を覆う格子システム（格子構造）内に配設される。天井から部屋を照明するために、照明装置は例えば音響タイルの外側に（即ち、当該タイルの部屋に面する側に）、格子システムにおける音響タイルの間に、又は格子内の音響タイルの幾つかを置換する専用の照明タイルとして配置することができる。照明装置は、典型的に、同様の寸法の音響タイルより少ない音しか吸収しないので、天井における斯かる照明装置の存在は、天井の音響特性に悪く影響し得ると共に、これにより、部屋内の騒音レベルに悪く影響し得る。従って、典型的には所望の音響特性と所望の照明との間の取引（妥協）がなされる。特に、天井の全体的音響特性に対する影響を制限するために、照明装置は、しばしば、天井の僅かな部分しか覆わない一方、音響吸収面は天井の大部分を覆う。しかしながら、このようなデザインは、部屋がどの様に照明されるかについての制限を生じる。
【０００３】
音響タイルのための格子システムにおいて照明を供給する１つのやり方は、音響タイルに光源を組み込むことである。ヨーロッパ特許出願公開第EP2573461号公報には、音響吸収特性を持つ基板と、側面及び開口部を持つ開放空洞と、該空洞内に配置された固体照明部品とを有する音響照明アセンブリが開示されている。該音響照明アセンブリは更に上記開放空洞の剛性カバーを有し、該カバーは上記固体照明部品により放出される波長の少なくとも１つの範囲に対して透明であると共に音響的に非反射性となるように構成される。このように、上記固体照明部品により放出される光は上記カバーを介して上記アセンブリから取り出される一方、音は上記カバー及び空洞を通り、上記基板により吸収され得る。
【発明の概要】
【発明が解決しようとする課題】
【０００４】
しかしながら、所望のレベルの吸音力を維持しながら所望の照明の供給を容易にする代替的及び／又は改善された設計を備えた音響照明タイル（即ち、発光音響タイル）を提供することが望ましいであろう。
【０００５】
前述した欠点の１以上を克服又は少なくとも軽減する音響照明タイルを提供することが有利であろう。特に、所望のレベルの吸音力を維持しながら、所望の照明の供給を容易にすることが望ましいであろう。
【課題を解決するための手段】
【０００６】
これらの課題の１以上により良く対処するために、独立請求項に記載されたフィーチャを有する音響照明タイルが提供される。好ましい実施態様は従属請求項に記載されている。
【０００７】
従って、一態様によれば、音響照明タイルが提供される。該音響照明タイルは、少なくとも１つの側壁を有する空洞であって、該側壁が該空洞の開口部を形成するように配置された空洞と、該空洞に入射する音の少なくとも一部を吸収するように構成された音響エレメントと、前記空洞内に前記少なくとも１つの側壁のうちの少なくとも１つに沿って配置される少なくとも１つの光源担体とを有する。該少なくとも１つの光源担体は前記空洞内へと水平方向に沿って第１距離にわたり延在すると共に、光を前記空洞内へ該空洞の開口部から遠ざかるように垂直の主方向に光を放出するように配置される。当該音響照明タイルは、更に、前記光源担体上に取り付けられて前記空洞内へと光を放出するように構成された少なくとも１つの光源と、前記空洞内に配置されると共に、前記の放出された光の少なくとも一部（即ち、前記少なくとも１つの光源により前記空洞内へと放出された光の少なくとも一部）を前記開口部に向かって反射するように構成された反射面とを有する。当該音響照明タイルは、更に、前記少なくとも１つの光源担体から第２距離において前記開口部を少なくとも部分的に覆うように配置されると共に、該開口部を通過する光を少なくとも部分的に拡散させるように構成された拡散エレメントを有する。前記第２距離は、前記第１距離と少なくとも同程度に大きい。
【０００８】
前記空洞の開口部に向かう途中において、前記光源により放出された光の一部は前記光源担体により妨害及び／又は遮蔽され得る。前記拡散エレメントを介して（即ち、前記空洞の開口部を介して）通過する光の空間分布に対する斯かる光の妨害の影響を低減するために、該拡散エレメントは、該空洞の開口部を、前記光源担体から該光源担体の幅｛当該光源担体が、例えば該光源担体が配置された側壁に対して垂直な（例えば、少なくとも略直な）方向に沿い当該空洞内に向かう方向に沿ってどの程度長い距離延在するか測定される｝と少なくとも同程度に大きい距離において少なくとも部分的に覆う。このような光の妨害の影響の低減は、屋内照明において通常望まれる一層（空間的に）均一な照明の供給を容易にする。
【０００９】
前記拡散エレメントは前記空洞の開口部を通過する光を少なくとも部分的に拡散させ、このことは、当該音響照明タイルの光出力の空間及び／又は角度分布の均一性を改善し得る。前記光源担体から第２距離に配置された該拡散エレメントは、光源により放出される光のために、光源担体と該拡散エレメントとの間に混合空間を形成することができ、このことは、当該音響照明タイルの外側からの、光源担体による陰の視認性を減少させる。
【００１０】
前記音響エレメントは、当該音響照明タイルの吸音特性を増加させると共に、通常の音響タイル（即ち、光源を備えない音響タイル）の置換物及び／又は補完物としての利用可能性を増加させる。従って、前述したような光の妨害の影響の低減と組み合わせた該音響エレメントの使用は、所望のレベルの吸音力を維持しながらの所望の照明の供給を容易にする。
【００１１】
前述したように、前記少なくとも１つの反射面は、放出された光の少なくとも一部（即ち、前記少なくとも１つの光源により空洞内へ放出される光の少なくとも一部）を前記空洞の開口部に向かって反射するように構成することができる。上記少なくとも１つの反射面により反射される光は、例えば前記少なくとも１つの光源から直接到来し得るか、又は当該少なくとも１つの反射面に到達する前に既に１回以上向き変更／反射されたものであり得る。例えば、当該音響照明タイルは数個の反射面を有することができ、前記少なくとも１つの光源からの光は前記空洞の開口部に到達する前に数回反射され得る。複数の反射及び／又は複数の反射面を用いることは、一層均一な照明の供給を容易にし得る。幾つかの実施態様において、前記少なくとも１つの光源担体は前記空洞内へ前記少なくとも１つの側壁のうちの少なくとも１つから第３距離にわたり延在することができ、前記第２距離は該第３距離と少なくとも同程度に大きいものとすることができる。該少なくとも１つの光源担体は、側壁に沿い例えばブラケット（取付金具）を介して配設／懸架することができ、該少なくとも１つの光源担体自体の幅より更に遠く空洞内へと延びることができる。即ち、当該少なくとも１つの光源担体は、空洞内へと該少なくとも１つの光源担体と上記ブラケットとの合成幅に対応する第３距離にわたり延在することができる。前記第２距離は、上記ブラケット及び少なくとも１つの光源担体の両方により生じる光の妨害の影響を低減するために、上記第３距離と少なくとも同程度に大きいものとすることができる。
【００１２】
一実施態様によれば、前記空洞は後壁を有する。本実施態様において、前記少なくとも１つの側壁のうちの少なくとも１つは、上記後壁と前記少なくとも１つの光源担体との間の少なくとも一部にわたり延在する第１部分及び前記少なくとも１つの光源担体と前記拡散エレメントとの間の少なくとも一部にわたり延在する第２部分を有する。本実施態様において、上記第２部分は上記第１部分に対して傾斜され得る。即ち、該第２部分は、第１部分に対して或る角度を形成するように向けられ得る。第２部分が第１部分に対して傾斜されていることは、当該音響タイルの機械的剛性（及び／又は耐久性／頑丈さ）を増加させ得る。
【００１３】
一実施態様によれば、前記第２部分は前記第１部分に対して前記空洞の内部に向かって内側に傾斜され得る。当該音響照明タイルが例えば壁上又は天井において同様の音響照明タイルと並んで配置されるような適用例において、第２部分の上記内側への傾斜は、特に当該音響照明タイルの光源がオフされている場合に、隣接するタイルの間の高さの差の目立ちを低減することができる。従って、該第２部分の内側への傾斜は、より大きな高さ／厚さの変動を持つ音響照明タイルの使用を可能にし得る。
【００１４】
一実施態様によれば、前記第２部分は第１部分に対して前記空洞の内部から離れるように外側に傾斜され得る。当該音響照明タイルが例えば天井又は壁上において同様の音響照明タイルと並んで配置されるような適用例において、この外側への傾斜は、当該音響照明タイルの間の及び当該第２部分の背後の体積／空間が視界から隠されることを可能にする。このような体積は、当該音響照明タイルを取り付けるために使用することができる。本実施態様によれば、隣接する音響照明タイルの発光面の間の距離を、取り付け目的のための斯かる体積／空間を可能にしながら、低減することができる。
【００１５】
一実施態様によれば、前記第２部分の縁部は、該第２部分における該縁部に隣接する部分に対して傾斜され得る。該縁部の傾斜は、当該音響照明タイルの機械的剛性を更に増加させることができる。
【００１６】
幾つかの実施態様において、前記第２部分は第１部分に対して前記空洞の内部から離れるように外側に傾斜され得ると共に、該第２部分の上記縁部は、該第２部分における該縁部に隣接する部分に対して内側に傾斜され得る。当該音響照明タイルが例えば壁上又は天井において同様の音響照明タイルと並んで配置されるような適用例において、該縁部の内側への傾斜は、特に当該音響照明タイルの光源がオフされている場合に、隣接するタイルの間の高さの差の目立ちを低減することができる。従って、該縁部の内側への傾斜は、より大きな高さ／厚さの変動を持つ音響照明タイルの使用を可能にし得る。
【００１７】
幾つかの実施態様において、前記第２部分は第１部分に対して前記空洞の内部に向かって内側に傾斜され得る一方、上記縁部は、該第２部分における該縁部に隣接する部分に対して前記空洞の内部から離れるように外側に傾斜され得る。
【００１８】
一実施態様によれば、前記少なくとも１つの側壁のうちの少なくとも１つにおけるリム（縁）の少なくとも一部は折り返す（折り畳む）ことができ、前記拡散エレメントは該リムの折返し部に当接して配置することができる。斯かるリムの折返しは、拡散エレメントと接触する面の滑らかさを増加させ、該拡散エレメントの裂損及び／又は損傷の危険性を低減する。該リムの折返しは、当該リム及び／又は当該音響照明タイルの機械的剛性を増加させることができる。
【００１９】
一実施態様によれば、前記少なくとも１つの側壁のうちの少なくとも１つは、前記少なくとも１つの光源担体と前記拡散エレメントとの間に延在する部分（前述した第２部分等の）を有し得る。本実施態様において、前記少なくとも１つの光源担体と前記拡散エレメントとの間に延在する上記部分の少なくとも一部は、少なくとも部分的に透光性とすることができる。即ち、この部分の少なくとも一部を介して少なくとも幾らかの波長／周波数の光は通過することができる（該光は、例えば、通過する際に拡散され得るか、又は何の影響も受けないで通過することができる）。光が前記少なくとも１つの光源担体と前記拡散エレメントとの間に延在する上記部分を通過され得るようにすることは、当該音響照明タイルの光出力に寄与する全面積を増加させ得る。特に、複数の音響照明タイルが互いに並んで配置される応用例において、隣接する音響照明タイルの間の空間は斯様にして照明することができる。従って、前記少なくとも１つの光源担体と前記拡散エレメントとの間に延在する上記部分の少なくとも一部が少なくとも部分的に透光性であることは、互いに並んで配置される複数の音響照明タイルが一層均一な照明を供給することを可能にし得る。
【００２０】
一実施態様によれば、前記少なくとも１つの光源担体と前記拡散エレメントとの間に延在する前記部分は少なくとも１つの開口を有することができ、これにより、該部分を少なくとも部分的に透光性にする。前記少なくとも１つの光源担体と前記拡散エレメントとの間に延在する前記部分を少なくとも部分的に透光性にするために少なくとも１つの開口を用いることは、前記少なくとも１つの光源担体と前記拡散エレメントとの間に延在する前記部分に広範囲の材料を使用することを可能にする。特に、使用される材料は、自体が透光性／透明である必要はない。このことは、一層安価な及び／又は一層耐久性のある材料を使用することを可能にし得る。
【００２１】
一実施態様によれば、当該音響照明タイルは、前記少なくとも１つの光源担体と前記拡散エレメントとの間に延在する前記部分の前記空洞に対して外側に配置された第２拡散エレメント（例えば自身の体積内に粒子又は屈折率の変化を含む材料であって、表面構造により当該材料の面／表面においてというより、該材料の体積内で散乱を生じさせる材料のような、体積拡散器等）を有することができる。該第２拡散エレメントは、前記少なくとも１つの光源担体と前記拡散エレメントとの間に延在する上記部分（の少なくとも部分的に透光性の部分）を通過する光を少なくとも部分的に拡散させるように構成することができる。前記少なくとも１つの光源担体と前記拡散エレメントとの間に延在する上記部分を通過する光を拡散させることにより、当該音響照明タイルの光出力に寄与する全面積を増加させることができる。特に、複数の音響照明タイルが互いに並んで配置される応用例において、隣接する音響照明タイルの間の空間は該第２拡散エレメントを使用して一層均一に照明することができる。
【００２２】
第２拡散エレメントの使用は、前記少なくとも１つの光源担体と前記拡散エレメントとの間に延在する前記部分が少なくとも１つの開口により透光性にされる実施態様において特に有効であり得る。何故なら、該第２拡散エレメントは斯かる少なくとも１つの開口からの光を、一層均一な照明を供給するために分散させることに寄与し得るからである。
【００２３】
幾つかの実施態様において、前記少なくとも１つの光源は、光の少なくとも幾らかを上記第２拡散エレメントに向かって（即ち、前記空洞及び前記少なくとも１つの反射面を介してというより、直接的に）放出するように構成することができ、上記第２拡散エレメントは該第２拡散エレメントに向かって放出された該光を少なくとも部分的に拡散させるように構成することができる。
【００２４】
一実施態様によれば、前記少なくとも１つの側壁のうちの少なくとも１つの少なくとも一部は金属を有することができる。幾つかの実施態様において、前記少なくとも１つの側壁のうちの少なくとも１つの少なくとも一部（例えば、前記少なくとも１つの光源担体と前記拡散エレメントとの間に延在する前記部分）は金属製のものとすることができる。
【００２５】
前記側壁の１以上における金属の使用は、当該音響照明タイルの耐久性を増加させることができ、及び／又は該音響照明タイルの製造を容易にさせ得る。
【００２６】
一実施態様によれば、前記少なくとも１つの反射面のうちの少なくとも１つは湾曲され得る。即ち、該反射面は湾曲形状を有し得る。反射面（複数の反射面）の該湾曲形状は、前記少なくとも１つの光源からの光を、前記空洞の開口部を（少なくとも部分的に）覆う拡散エレメントにわたり一層均一に分散／拡大させることを可能にし得ると共に、当該音響照明タイルの一層（空間的に）均一な光出力の供給を容易にさせ得る。
【００２７】
上記反射面は、例えば、凹状とすることができる。即ち、該反射面は内側に膨らみ得る。該反射面は、例えば、放物反射器とすることができる（及び／又は放物断面を有することができる）。
【００２８】
一実施態様によれば、当該音響照明タイルは、前記空洞の相対する側に配置された２つの光源担体を有することができる。空洞の２つの相対する側から放出される光を使用することは、一層均一な照明をもたらす。
【００２９】
本実施態様において、少なくとも１つの光源を、上記２つの光源担体の各々上に取り付けることができると共に、前記空洞内へと光を放出するように構成することができる。該２つの光源担体は、空洞内に該空洞の側壁に沿って｛又は単一の側壁の一部に沿って（これら一部は当該空洞の相対する側に配置される）｝配置することができる。該２つの光源担体は、空洞内に向かう方向に沿って、最大で第１距離と同程度に大きい距離にわたり延びることができる。前記拡散エレメントは、当該２つの光源担体から第２距離において前記開口部を少なくとも部分的に覆うように配置することができ、該第２距離は上記第１距離と少なくとも同程度に大きい。当該音響照明タイルは、例えば、各々が当該光源担体の１つに関連付けられた２つの反射面を有することができ、各反射面は関連する各光源担体上に取り付けられた少なくとも１つの光源により放出される光の少なくとも一部を反射する。
【００３０】
幾つかの実施態様において、当該音響照明タイルは長方形とすることができ、前記空洞の４つの辺に各々沿って配置された４つの光源担体を有することができる。
【００３１】
一実施態様によれば、当該音響照明タイルは長方形とすることができる。即ち、前記空洞は、長方形の辺を形成するように少なくとも略直角に配置された側壁（又は側壁の一部）を有することができる。言い換えると、当該音響照明タイルは、前記空洞の少なくとも１つの側壁により形成される長方形の（又は４辺の）断面を有することができる。本実施態様における該音響照明タイルの長方形の形状は、天井等の表面を覆うように複数の音響照明タイルを配置する（例えば、格子状に）ことを容易にする。本実施態様において、前記空洞の開口部は例えば長方形とすることができる。
【００３２】
一実施態様によれば、前記少なくとも１つの光源は、前記少なくとも１つの側壁のうちの少なくとも１つに沿って配置された複数の光源のストリップ（細条）を有することができる。ストリップ状の照明デバイスを使用することは、一層均一な照明の供給を容易にし得、及び／又は当該音響照明タイルの製造を容易にさせ得る。
【００３３】
一実施態様によれば、前記少なくとも１つの光源は、少なくとも１つの固体光源、例えば１以上の発光ダイオードを有することができる。
【００３４】
尚、本発明の実施態様は、請求項に記載されるフィーチャの全ての可能性のある組み合わせに関するものであることに注意されたい。
【００３５】
上記及び他の態様は、実施態様を示す添付図面を参照して詳細に説明されるであろう。
【００３６】
全ての図は概略的なもので、必ずしも実寸通りではなく、通常は実施態様を明らかにするために要する部分のみを示しており、他の部分は省略されるか又は単に暗示されるのみであり得る。また、同様の符号は全体を通して同様の要素を示している。
【図面の簡単な説明】
【００３７】
【図１】図１は、第１実施態様による音響照明タイルの断面図を示す。
【図２】図２は、第２実施態様による音響照明タイルの一部の断面図を示す。
【図３】図３は、第３実施態様による音響照明タイルの一部の断面図を示す。
【図４】図４は、第４実施態様による２つの隣接する音響照明タイルの断面図を示す。
【発明を実施するための形態】
【００３８】
以下、本発明の態様を、現在のところ好ましい実施態様が図示された添付図面を参照して一層詳細に説明する。しかしながら、本発明は多数の異なる形態で実施化することができ、ここに記載される実施態様に限定されるものと見なされるべきではない。むしろ、これらの実施態様は徹底さ及び完全さのために提示され、当業者に本発明の態様の範囲を十分に伝達するものである。
【００３９】
第１実施態様による音響照明タイルを、該音響照明タイルの断面図を示す図１を参照して説明する。音響照明タイル１００は空洞１１０を有し、この空洞は該空洞１１０の開口部を形成するように配置された少なくとも１つの側壁１２０を有している。音響照明タイル１００は、更に、音響エレメント１３０、少なくとも１つの光源担体１４０、少なくとも１つの光源１５０、少なくとも１つの反射面１６０及び拡散エレメント１７０を有している。
【００４０】
空洞１１０は、前記少なくとも１つの側壁１２０により少なくとも部分的に囲まれた開放空間を有している。上記少なくとも１つの側壁１２０は、図１では、当該空洞１１０の後壁１８０から延びる垂直な壁１２０により例示されており、これら側壁１２０は該空洞１１０の下部に開口部を形成している。空洞１１０は、例えば、長方形開口部を形成する長方形の形状に配置された４枚の垂直な側壁１２０を有することができる。他の実施態様では、これら４枚の側壁１２０のうちの１枚は“欠如している”ものとし、当該空洞１１０が側部及び底部の両方において開放しているようにする。当該音響照明タイル１００の１以上の斯様な“欠如した”側壁を、該音響照明タイル１００に隣接して配置された他の同様の音響照明タイルの側壁により置換することができるような実施態様も想定される。他の実施態様において、該空洞は単一の円形の側壁１２０を有することができる。側壁１２０が後壁１８０に対して９０度とは異なる角度で配置されると共に、空洞１１０が如何なる数の側壁１２０も有するような実施態様も考えられる。後壁１８０及び／又は少なくとも１つの側壁１２０は、例えば、金属又はプラスチック材料から形成することができる。
【００４１】
音響エレメント１３０は、空洞１１０に入射する音の少なくとも一部を吸収するように構成される。該音響エレメント１３０は、図１では、空洞１１０内に該空洞１１０の前記開口部とは反対側の後壁１８０に沿って配置された音響吸収（吸音）板１３０により例示されている。他の実施態様において、音響エレメント１３０は、例えば後壁１８０に沿って配置された部分／部品と組み合わされた、側壁１２０に沿って配置される部品／部分を有することができる。音響エレメント１３０は、音響吸収材料（例えば、ガラスウール又はロックウール等の鉱物ウール）を有することができ、及び／又は音を吸収するように構成された形状／表面構造を有することができる。
【００４２】
前記少なくとも１つの光源担体１４０は、空洞１１０内に該空洞の前記少なくとも１つの側壁１２０のうちの少なくとも１つに沿って配置されると共に、空洞１１０内に向かう方向に沿って第１距離Ｄ１だけ延びる。該少なくとも１つの光源担体１４０は、図１では、空洞１１０の相対する側の側壁１２０に沿って配置された２つの印刷回路基板（ＰＣＢ）１４０により例示されている。異なるタイプの光源（例えば、管状ランプ又は白熱ランプ等）のための他のタイプの回路基板又はホルダ等の、他の光源担体１４０も考えられる。
【００４３】
図１におけるＰＣＢ１４０の各々は空洞１１０内へと水平方向に沿って第１距離Ｄ１にわたり延びている。即ち、ＰＣＢ１４０は空洞１１０内に向かって水平方向に幅Ｄ１を有している。図１に示される例示的構成において、ＰＣＢ１４０は側壁１２０に沿って、空洞１１０内へと延びるピン（又は何らかの種類の取付金具：ブラケット）１４１により支持（又は懸架）されている。このように、図１に示された構成例において、ＰＣＢ１４０は空洞１１０内へと第１距離Ｄ１より更に延びている。即ち、ＰＣＢ１４０は空洞１１０内へと距離Ｄ３にわたり延びている。他の例示的構成（図３に示されるもののような）において、ＰＣＢ１４０は側壁１２０に直接取り付けることができ、第１距離Ｄ１はＰＣＢ１４０が空洞１１０内へと延びる距離と同一とすることができる。
【００４４】
前記少なくとも１つの光源１５０は、図１においては、ＰＣＢ１４０上に取り付けられると共に空洞１１０内へと垂直の主方向において上方に向かい（空洞１１０の開口部から離れる方向に）光を放出するように配置されたＬＥＤ１５０により例示されている。ＬＥＤ１５０は、例えば、複数のＬＥＤの２つのストリップ（細条）として構成することもでき、これらストリップは空洞１１０の相対する側において２つのＰＣＢ１４０上に取り付けられる。白熱ランプ又は管状ランプ等の他の光源１５０も考えられる。ＬＥＤ１５０が光を空洞１１０内へと、水平に及び／又は対角線的に等のように、異なる方向に放出する実施態様も考えられる。
【００４５】
前記少なくとも１つの反射面１６０は、図１では、空洞１１０内に配置されると共にＬＥＤ１５０により放出される光を反射するように構成された２つの反射器１６０により例示されている。側壁１２０、音響エレメント１３０及び／又は後壁１８０（音響エレメント１３０が後壁１８０を完全に覆わない場合）の一部上の、例えば光学的に反射性の塗料／コーティングにより設けられた１以上の光学的に反射性の表面１６０’、１６０”等の他の反射面も考えられる。
【００４６】
図１に示された反射器１６０は空洞１１０の相対する側に配置され、これら反射器１６０の各々はＬＥＤ１５０からの光の少なくとも一部を空洞１１０の開口部に向かって反射するように構成されている。このことが、図１において第１及び第２光線Ｌ１，Ｌ２により図示されている。第１光線Ｌ１は、光源１５０の一方により放出されると共に、反射器１６０の一方により、これら反射器１６０の他方に向かって反射される。該第１光線Ｌ１は、次いで、空洞１１０の開口部に向かって反射される。同様にして、第１光線Ｌ２は、光源１５０の他方により放出されると共に、反射器１６０の一方により、これら反射器１６０の他方に向かって反射される。該第１光線Ｌ２は、次いで、空洞１１０の開口部に向かって反射される。反射器１６０は、ＬＥＤ１５０からの光を空洞１１０の開口部にわたって分散させるように湾曲されている。所望の光出力に依存して、反射器１６０は異なる形状を有することもできる。反射器１６０は、例えば凹状とすることもでき、放物形状を有することもできる。
【００４７】
当該音響照明タイル及び該タイルの部品の幾何学構造に依存して、光源１５０からの幾らかの光は、側壁１２０の一部及び／又は音響エレメント１３０の一部上の反射面１６０’，１６０”により空洞１１０の開口部に向かって反射される前に、例えば反射器１６０により反射され得る。これが、第３光線Ｌ３により図示されており、該第３光線は、先ず反射器１６０の一方により反射され、次いで音響エレメント１３０上の反射面１６０”により空洞１１０の開口部に向かって反射される。
【００４８】
同様にして、光源１５０からの幾らかの光は、反射器１６０により空洞１１０の開口部に向かって反射される前に、例えば側壁１２０の一部及び／又は音響エレメント１３０の一部上の反射面１６０’，１６０”により反射され得る。
【００４９】
拡散エレメント１７０は、前記少なくとも１つの光源担体１４０から第２距離Ｄ２において空洞１１０の開口部を少なくとも部分的に覆うように配置され、該開口部を通過する光を少なくとも部分的に拡散させるように構成される。該拡散エレメント１７０は、図１では、空洞１１０の開口部にまたがると共に側壁１２０の下端に当接して配置された表面シート１７０により例示されている。該表面シート１７０は、音響的には実質的に非反射性とすることができる。即ち、空洞１１０に入射する音は該表面シート１７０を通過し得ると共に、音響エレメント１３０により吸収され得る。拡散シート１７０は、空洞１１０の開口部を通過するＬＥＤ１５０からの光を拡散させて、当該音響照明タイル１００内に存在する部品を隠蔽することができる。例えば、該拡散シート１７０は光を拡散させて、個々のＬＥＤ１５０が反射器１６０により付与される反射を介して当該音響照明タイル１００の外部から見えることを防止することができる。表面シート１７０は、例えば、プラスチック、布及び／又はガラスから形成することができる。
【００５０】
ＬＥＤ１５０は光を空洞１１０の側壁１２０に沿う位置から該空洞１１０内へ及び反射器１６０に向かって放出する。前述したように、反射器１６０は、例えば、この光を他の反射器１６０、音響エレメント１３０上の表面１６０”及び空洞１１０の開口部における表面シート１７０に向かって反射することができる。表面シート１７０に向かう途中において（例えば、１以上の反射により）、ＬＥＤ１５０により放出された光の少なくとも一部はＰＣＢ１４０により（及び、恐らくはＬＥＤ１５０自体により）妨害／遮蔽される。ＰＣＢ１４０が側壁１２０に取り付けられるピン１４１は、相対的に細くすることができることに注意されたい。即ち、ピン１４１は側壁１２０に沿ってＰＣＢ１４０と比較して相対的に短い距離しか延びず、従って大量の光は妨害しないようにすることができる。表面シート１７０をＰＣＢ１４０から或る距離に配置することにより、該表面シート１７０を通過する光の空間的分布は、該ＰＣＢ１４０に起因する光の妨害によっては、表面シート１７０が該ＰＣＢ１４０の一層近くに配置された場合におけるよりも少ない程度にしか影響を受けない。特に、表面シート１７０をＰＣＢ１４０から、該ＰＣＢ１４０の幅Ｄ１（側壁１２０から空洞１１０内へと水平方向に測定して）と少なくとも同程度に大きい第２距離Ｄ２に配置することにより、ＬＥＤ１５０からの光は、空洞１１０におけるＰＣＢ１４０より低い部分へと反射され得ると共に、垂直方向においてＰＣＢ１４０より下に位置される表面シート１７０の縁部１７１も照明される。言い換えると、表面シート１７０をＰＣＢ１４０から、該ＰＣＢ１４０の幅Ｄ１と少なくとも同程度に大きい第２距離Ｄ２に配置することにより、該表面シート１７０は一層均一に照明され得ると共に、該表面シート１７０の縁部に沿う暗い領域を低減することができる。ピン１４１が大量の光を妨害する場合、表面シート１７０は、例えばＰＣＢ１４０から該ＰＣＢ１４０とピン１４１との合成幅Ｄ３と少なくとも同程度に大きい第２距離Ｄ２に配置して、この付加的な光の妨害を少なくとも部分的に補償することができる。表面シート１７０が一層均一に照明される図１に関連して説明した音響照明タイル１００の使用は、該音響照明タイル１００の一層（空間的に）均一な照明の供給を容易にし得る。更に、光線Ｌ１，Ｌ２，Ｌ３により図示されたように、表面シート１７０にわたり光源１５０からの光を分散させる多重反射（複数の反射面による）の使用は、光源からの光を分散させるために単一の反射に依存する音響照明タイルと比較して、該音響照明タイル１００の一層均一な照明の供給を容易にし得る。拡散エレメント１７０が前記少なくとも１つの光源担体１４０から第２距離Ｄ２において空洞１１０の開口部を少なくとも部分的に覆うように配置されるということは、該空洞１１０の開口部の一部を覆う当該拡散エレメント１７０の如何なる部分も、光源担体１４０から少なくとも第２距離Ｄ２だけ離れて位置されることを意味する。拡散エレメント１７０は、例えば、光源担体１４０から第２距離Ｄ２より近くに位置されるが、空洞１１０の開口部の如何なる部分も覆わない部分１７２を有し得る。以下では、第２実施態様による音響照明タイルを、当該音響照明タイルの一部の断面図を示す図２を参照して説明する。図２に示される音響照明タイル２００は、図１を参照して説明した音響照明タイルと同様に構成することができる。即ち、該音響照明タイルは、少なくとも１つの側壁２２０を備える空洞２１０、音響エレメント２３０、少なくとも１つの光源担体２４０、少なくとも１つの光源２５０、少なくとも１つの反射面２６０及び拡散エレメント２７０を有する。
【００５１】
しかしながら、図２に示す音響照明タイル２００において、側壁２２０の縁（リム）２２１の少なくとも一部は折り返され、拡散エレメント２７０（例えば、表面シート）はリム２２１の該折返し部に当接して配置される。側壁２２０のリム２２１における該折返し部は該リム２２１の滑らかさを増加させると共に、拡散エレメント２７０の裂損の危険性を低減し及び／又は当該音響照明タイル２００の機械的剛性を増加させるように作用し得る。
【００５２】
図２において、側壁２２０は、空洞２１０の後壁２８０と光源担体（例えば、ＰＣＢ）２４０との間に延在する第１部分２２２、及び該第１部分２２２に取り付けられて、光源担体２４０と拡散エレメント（例えば、表面シート）２７０との間に延在する第２部分２２３を有する側壁２２０により例示されている。図２に示す実施態様において、第２部分２２３はネジ２２４により第１部分２２２に取り付けられているが、弾発嵌合構造、ピン、鋲及び／又は接着剤等の多数の他の形式の固定手段も考えられる。
【００５３】
図１に示した音響照明タイル１００におけるのと同様に、拡散エレメント２７０は空洞２１０の開口部を光源担体２４０から第２距離Ｄ２において覆い、該第２距離Ｄ２は光源担体２４０の幅Ｄ１（側壁２２０から空洞２１０内へ水平方向に測定して）と少なくとも同程度に大きい。図２において、光源担体２４０は側壁２２０から延びる取付金具（ブラケット）２４２により該側壁２２０に沿って配設される。図１におけるピン１４１とは対照的に、ブラケット２４２は光が空洞２１０の開口部に到達することを妨害する原因となり得る。従って、第２距離Ｄ２、即ち光源担体２４０と上記開口部を覆う拡散エレメント２７０との間の距離は、好ましくは、光源担体２４０とブラケット２４２との合成幅Ｄ３（側壁２２０から空洞２１０内へと水平方向に測定して）と少なくとも同程度に大きくなるように増加することができる。更に、ブラケット２４２が光源担体２４０と拡散エレメント２７０との間において或る距離延びる（下方に）場合、ここでも該ブラケットは光を潜在的に妨害し得るので、上記第２距離Ｄ２を、ブラケット２４２と拡散エレメント２７０との間の距離が少なくとも光源担体２４０の幅（又は光源担体２４０とブラケット２４２との合成幅）と同程度に大きくなることを保証することにより増加することができる。ブラケット２４２は、例えば、金属又はプラスチック材料のものとすることができる。幾つかの実施態様において、ブラケット２４２は前記少なくとも１つの光源２５０からの光を、例えば空洞２１０の開口部に向かって反射するように少なくとも部分的に反射性とすることができる。
【００５４】
第３実施態様による音響照明タイルを、該音響照明タイルの一部の断面図を示す図３を参照して説明する。図３に示される音響照明タイル３００は、図１及び図２を各々参照して説明した音響照明タイル１００及び２００と同様に構成することができる。即ち、該音響照明タイル３００は、例えば、少なくとも１つの側壁３２０を備えた空洞３１０、音響エレメント３３０、少なくとも１つの光源担体３４０、少なくとも１つの光源３５０、少なくとも１つの反射面３６０及び拡散エレメント３７０を有する。更に、側壁３２０は、空洞３１０の後壁３８０と光源担体（例えば、ＰＣＢ）３４０との間に延在する第１部分３２２、及び光源担体３４０と拡散エレメント（例えば、表面シート）３７０との間に延在する第２部分３２３を有する。
【００５５】
しかしながら、図３に示す音響照明タイル３００において、上記第２部分３２３は第１部分３２２に対して空洞３１０の内側から遠ざかるように外方に傾斜されている。この外方への傾斜は、当該音響照明タイル３００の機械的剛性（及び／又は耐久性／頑丈さ）を増加させ得る。第２部分３２３の該外方への傾斜は、該部分の背後に、少なくとも下からは直接見えない空間Ｓを残存させ、該空間Ｓは付属する電源部品及び／又は当該音響照明タイル３００を表面（例えば、天井における）上に取り付けるためのエレメントのために利用することができる。このようにして、第２部分３２３の上記外方への傾斜は、電源部品及び／又は当該音響照明タイル３００を取り付けるためのエレメントを少なくとも部分的に隠蔽するために利用することができる一方、複数の音響照明タイルの発光面（即ち、拡散エレメント３７０）が一緒に近接して配置されるような音響照明タイル３００のシステムを設けることができ、これにより、部屋の一層均一な照明の供給を容易にする。特に、第２部分３２３の該外方への傾斜は、複数の音響照明タイル３００が取り付けられる格子を少なくとも部分的に隠蔽することを可能にし得る。
【００５６】
側壁３２０の第２部分３２３は、オプションとして、縁部３２５を有することができ、この縁部３２５は当該第２部分３２３の残部に対して又は該第２部分３２３における該縁部３２５に隣接する部分に対して傾斜されている。該縁部３２５の傾斜は、当該音響照明タイル３００の機械的剛性（及び／又は耐久性／頑丈さ）を増加させることができる。図３において、縁部３２５は、空洞３１０の内部に向かって内側に傾斜したファセット（小面）３２５により例示されている。該ファセット３２５の内側への傾斜は、特に光源３５０がオフされた場合に、隣接する音響タイル３００の間の高さの差の目立ちを低減することができる。該ファセット３２５の内側への傾斜は、異なる高さの音響照明タイル３００が互いに並んで配置された場合に、エッジが形成されるのを低減することができる。従って、ファセット３２５の該内側への傾斜は、高さ／厚さが大きく変化する音響照明タイル３００の使用を可能にし得る。
【００５７】
第４実施態様による音響照明タイルを、２つの隣接する音響照明タイルの断面図を示す図４を参照して説明する。図４に示される音響照明タイル４００は、図１及び図２を各々参照して説明した音響照明タイル１００及び２００と同様に構成することができる。即ち、該音響照明タイル４００は、少なくとも１つの側壁４２０を備えた空洞４１０、音響エレメント４３０、少なくとも１つの光源担体４４０、少なくとも１つの光源４５０、少なくとも１つの反射面４６０及び拡散エレメント４７０を有する。更に、側壁４２０は、空洞４１０の後壁４８０と光源担体（例えば、ＰＣＢ）４４０との間に延在する第１部分４２２、及び光源担体４４０と拡散エレメント（例えば、表面シート）４７０との間に延在する第２部分４２３を有する。
【００５８】
しかしながら、図４に示す音響照明タイル４００において、上記第２部分４２３は第１部分４２２に対して空洞４１０の内部に向かって内側に傾斜されている。この内側への傾斜は、当該音響照明タイル４００の機械的剛性（及び／又は耐久性／頑丈さ）を増加させ得る。
【００５９】
更に、上記第２部分４２３は少なくとも部分的に透光性である。即ち、照明デバイス（光源）４５０により送出された光は、該第２部分４２３を介して、当該音響照明タイル４００と隣接する音響照明タイル４００’との間の空間／領域内へと通過することが可能にされる。少なくとも部分的に透光性である該第２部分４２３は、音響照明タイル４００，４００’の間の空間／領域の照明を容易にし、斯かる音響照明タイルの一層均一な照明の供給を容易にし得る。該第２部分４２３は、例えば、透光性材料（例えば、ガラス又はプラスチック）を有することができ、及び／又は１以上の開口（例えば、孔及び／又はスリット）を有することができる。
【００６０】
図４に示される音響照明タイル４００は、第２部分４２３の空洞４１０に対して外側に配置された第２拡散エレメント４９０も有している。該第２拡散エレメント４９０は、第２部分４２３を透過した光を拡散させるように構成され、当該音響照明タイル４００，４００’の間の空間／領域の一層均一な照明を促すことができる。図４において、該第２拡散エレメント４９０は、第２部分４２３の内側傾斜により該第２部分４２３の外側に形成された空間を充填する体積拡散器（例えば、プラスチック、発泡体及び／又は鉱物ウール等）４９０により例示されている。
【００６１】
空洞４１０の開口部を覆うように配置された拡散エレメント（例えば、表面シート）４７０は、上記第２拡散エレメント４９０も覆うように配設することができる。当該音響照明タイル４００から光出力が放出される、拡散エレメント４７０の形態の、共通の面を設けることにより、該音響照明タイル４００の一層均一な光出力を容易にすることができる。
【００６２】
本発明の実施態様による音響照明タイルは、例えば当該音響照明タイルの光出力の均一性を改善するために追加のミラー／反射器を有することができることに注意すべきである。例えば、図１を参照して説明した音響照明タイル１００が長方形であると共に、２つの相対する側壁１２０には沿うが残りの２つの側壁には沿わないで配置された光源１５０を有する場合、これら２つの残りの側壁は光を空洞１１０内に反射して戻すために平面鏡により少なくとも部分的に覆うことができる。このような平面鏡は、当該音響照明タイルの光出力の均一性を改善することができる。
【００６３】
尚、当業者であれば、本発明が上述した好ましい実施態様に決して限定されるものではないことを理解するであろう。逆に、多数の修正例及び変形例が添付請求項の範囲内で可能である。例えば、音響照明タイルは任意の数の側壁（例えば、１つ、２つ、３つ又は４つの側壁）を有することができると共に多くの異なる形状を有することができ、前記空洞の開口部は如何なる方向にも向けられる。同様に、光源、光源担体及び／又は反射面の数が多数の異なる値を呈する実施態様も考えられる。
【００６４】
また、図１、図２、図３及び図４を参照して説明した音響照明タイルの少なくとも幾つかの実施態様において、前記側壁は対応する音響照明タイルを取り付けるために使用することができる。特に、側壁における光源担体と拡散エレメントとの間に少なくとも部分的に延在する部分は、当該音響照明タイルを取り付けるために使用することができる。
【００６５】
更に、当業者によれば、請求項に記載された本発明を実施するに際して、図面、本開示及び添付請求項の精査から、開示された実施態様の変形例を理解し、実施することができる。また、請求項において、“有する”なる文言は他の要素又はステップを排除するものではなく、単数形は複数を排除するものではない。また、特定の手段が相互に異なる従属請求項に記載されているという単なる事実は、これら手段の組み合わせを有利に使用することができないということを示すものではない。また、請求項における如何なる符号も当該範囲を限定するものとみなしてはならない。
【図１】
2016540348.tif 000003
【図２】
2016540348.tif 000004
【図３】
2016540348.tif 000005
【図４】
2016540348.tif 000006
【手続補正書】
【提出日】平成28年5月13日(2016.5.13)
【手続補正１】
【補正対象書類名】図面
【補正対象項目名】図２
【補正方法】変更
【補正の内容】
【図２】
2016540348.tif 000007
【国際調査報告】
2016540348.tif 000008
2016540348.tif 000009